(57)【要約】【課題】効率良く施工できるパネル装置の施工方法を提供する。【解決手段】  左右方向長手状の第１横桟11、第２横桟12および第３横桟13を壁部２に固定する。この固定した第１横桟11、第２横桟12および第３横桟13にパネル15を引っ掛けて支持させる。この引っ掛けたパネル15を第１横桟11、第２横桟12および第３横桟13に固定する。【選択図】図２
2010144465.tif 000002
【特許請求の範囲】
【請求項１】
左右方向長手状の横桟を被固定部に固定する工程と、
前記被固定部に固定された前記横桟にパネルを支持させる工程と、
前記横桟によって支持された前記パネルを前記横桟に固定する工程と
を備えることを特徴とするパネル装置の施工方法。
【請求項２】
被固定部に固定される左右方向長手状の横桟と、
少なくとも第１パネル構成体および第２パネル構成体を有し、前記横桟に固定される格子状のパネルとを備え、
前記第１パネル構成体および前記第２パネル構成体は、
左右方向長手状の横長部と、
この横長部に固定され、互いに間隔をおいて平行に位置する上下方向長手状の複数の縦長部とを有するパネル装置の施工方法であって、
前記横桟を前記被固定部に固定する工程と、
前記被固定部に固定された前記横桟に前記第１パネル構成体の横長部を支持させる工程と、
前記横桟によって支持された前記第１パネル構成体の横長部を前記横桟に固定する工程と、
前記被固定部に固定された前記横桟に前記第２パネル構成体の横長部を支持させる工程と、
前記横桟によって支持された前記第２パネル構成体の横長部を前記横桟に固定された前記第１パネル構成体の横長部に当てることによりこれら互いに隣り合う両横長部の継ぎ目を前記第１パネル構成体の縦長部の後方に位置させた状態で、前記第２パネル構成体の横長部を前記横桟に固定する工程と
を備えることを特徴とするパネル装置の施工方法。
【請求項３】
被固定部に固定され、互いに間隔をおいて平行に位置する左右方向長手状の複数の横桟と、
これら複数の横桟に固定されるパネルとを備えるパネル装置の施工方法であって、
前記複数の横桟のうちの一の横桟を被固定部に固定する工程と、
前記被固定部に固定された前記一の横桟に前記パネルを支持させる工程と、
前記一の横桟によって支持された前記パネルを基準として、前記複数の横桟のうちの残りの横桟を前記被固定部に固定する工程と
を備えることを特徴とするパネル装置の施工方法。
【請求項４】
パネルは、引掛部を有し、
前記引掛部を横桟に上方から引っ掛けることにより前記横桟に前記パネルを支持させる
ことを特徴とする請求項１ないし３のいずれか一記載のパネル装置の施工方法。
【請求項５】
パネルの引掛部は、横桟の前面と接触する前板、前記横桟の上面と接触する上板および前記横桟の後面と接触する後板を有し、
前記引掛部を前記横桟に載置して引っ掛ける
ことを特徴とする請求項４記載のパネル装置の施工方法。
【請求項６】
パネルは、嵌合部を有し、
前記嵌合部を横桟に側方から嵌合させることにより前記横桟に前記パネルを支持させる
ことを特徴とする請求項１ないし３のいずれか一記載のパネル装置の施工方法。
【発明の詳細な説明】
【技術分野】
【０００１】
本発明は、効率良く施工できるパネル装置の施工方法に関するものである。
【背景技術】
【０００２】
従来、例えば左右方向長手状の複数の横桟に上下方向長手状の複数の縦桟を溶接或いはボルト止め等により固定することにより格子状のパネル装置を得た後、この得られた格子状のパネル装置の横桟の両端部を左右一対の支柱に固定するパネル装置の施工方法が知られている（例えば、特許文献１参照）。
【特許文献１】特開２００８−８８８００号公報（図１等）
【発明の開示】
【発明が解決しようとする課題】
【０００３】
しかしながら、上記従来のパネル装置の施工方法では、横桟および縦桟にて構成された重い格子状のパネル装置全体を持ち上げる必要があるため、パネル装置の施工に手間取るおそれがある。
【０００４】
本発明は、このような点に鑑みなされたもので、効率良く施工できるパネル装置の施工方法を提供することを目的とする。
【課題を解決するための手段】
【０００５】
請求項１記載のパネル装置の施工方法は、左右方向長手状の横桟を被固定部に固定する工程と、前記被固定部に固定された前記横桟にパネルを支持させる工程と、前記横桟によって支持された前記パネルを前記横桟に固定する工程とを備えるものである。
【０００６】
請求項２記載のパネル装置の施工方法は、被固定部に固定される左右方向長手状の横桟と、少なくとも第１パネル構成体および第２パネル構成体を有し、前記横桟に固定される格子状のパネルとを備え、前記第１パネル構成体および前記第２パネル構成体は、左右方向長手状の横長部と、この横長部に固定され、互いに間隔をおいて平行に位置する上下方向長手状の複数の縦長部とを有するパネル装置の施工方法であって、前記横桟を前記被固定部に固定する工程と、前記被固定部に固定された前記横桟に前記第１パネル構成体の横長部を支持させる工程と、前記横桟によって支持された前記第１パネル構成体の横長部を前記横桟に固定する工程と、前記被固定部に固定された前記横桟に前記第２パネル構成体の横長部を支持させる工程と、前記横桟によって支持された前記第２パネル構成体の横長部を前記横桟に固定された前記第１パネル構成体の横長部に当てることによりこれら互いに隣り合う両横長部の継ぎ目を前記第１パネル構成体の縦長部の後方に位置させた状態で、前記第２パネル構成体の横長部を前記横桟に固定する工程とを備えるものである。
【０００７】
請求項３記載のパネル装置の施工方法は、被固定部に固定され、互いに間隔をおいて平行に位置する左右方向長手状の複数の横桟と、これら複数の横桟に固定されるパネルとを備えるパネル装置の施工方法であって、前記複数の横桟のうちの一の横桟を被固定部に固定する工程と、前記被固定部に固定された前記一の横桟に前記パネルを支持させる工程と、前記一の横桟によって支持された前記パネルを基準として、前記複数の横桟のうちの残りの横桟を前記被固定部に固定する工程とを備えるものである。
【０００８】
請求項４記載のパネル装置の施工方法は、請求項１ないし３のいずれか一記載のパネル装置の施工方法において、パネルは、引掛部を有し、前記引掛部を横桟に上方から引っ掛けることにより前記横桟に前記パネルを支持させるものである。
【０００９】
請求項５記載のパネル装置の施工方法は、請求項４記載のパネル装置の施工方法において、パネルの引掛部は、横桟の前面と接触する前板、前記横桟の上面と接触する上板および前記横桟の後面と接触する後板を有し、前記引掛部を前記横桟に載置して引っ掛けるものである。
【００１０】
請求項６記載のパネル装置の施工方法は、請求項１ないし３のいずれか一記載のパネル装置の施工方法において、パネルは、嵌合部を有し、前記嵌合部を横桟に側方から嵌合させることにより前記横桟に前記パネルを支持させるものである。
【発明の効果】
【００１１】
請求項１に係る発明によれば、従来とは異なりパネル装置全体を持ち上げる必要がないため、効率良く施工できる。
【００１２】
請求項２に係る発明によれば、従来とは異なりパネル装置全体を持ち上げる必要がないため、効率良く施工でき、また、第２パネル構成体の横長部を第１パネル構成体の横長部に当てることによりこれら互いに隣り合う両横長部の継ぎ目を第１パネル構成体の縦長部の後方に位置させた状態で第２パネル構成体の横長部を横桟に固定するため、第２パネル構成体の第１パネル構成体に対する位置決めが容易であるばかりでなく、互いに隣り合う両横長部の継ぎ目が前方からは見えず、意匠性の向上を図ることができる。
【００１３】
請求項３に係る発明によれば、従来とは異なりパネル装置全体を持ち上げる必要がないため、効率良く施工でき、また、一の横桟によって支持されたパネルに合わせて残りの横桟を固定できるため、パネルと横桟との間に隙間ができる不具合を防止でき、施工精度の向上を図ることができる。
【００１４】
請求項４に係る発明によれば、パネルの引掛部を横桟に上方から引っ掛けることにより横桟にパネルを支持させるため、より一層効率良く施工できる。
【００１５】
請求項５に係る発明によれば、パネルの引掛部の横桟に対する引っ掛かり状態を維持でき、より一層効率良く施工できる。
【００１６】
請求項６に係る発明によれば、パネルの嵌合部を横桟に側方から嵌合させることにより横桟にパネルを支持させるため、より一層効率良く施工できる。
【発明を実施するための最良の形態】
【００１７】
本発明の一実施の形態を図面を参照して説明する。
【００１８】
図１ないし図３において、１はパネル装置で、このパネル装置１は、例えばバルコニまたはベランダ向けの目隠しスクリーン（ルーバースクリーン）である。そして、パネル装置１は、例えば建物のバルコニの被固定部である壁部２の屋外側の面に固定され、壁部２の略矩形状の開口部３を覆う。
【００１９】
パネル装置１は、壁部２の屋外側の面に長手方向両端部が横桟支持手段５を介して固定され、互いに間隔をおいて平行に位置する左右方向長手状の複数の横桟、すなわち例えば上から順番に第１横桟11、第２横桟12および第３横桟13と、これら第１横桟11、第２横桟12および第３横桟13に固定され、壁部２の開口部３を覆う格子状のパネル15とを備えている。
【００２０】
第１横桟11、第２横桟12および第３横桟13は、断面略矩形状の長手状部材にて構成されている。
【００２１】
横桟支持手段５は、各横桟11，12，13の長手方向端部の下面を支持する下面支持体（下部金具）16と、各横桟11，12，13の長手方向端部の上面を支持する上面支持体（上部金具）17とを有している（図４、図６等参照）。下面支持体16は、断面略Ｌ字状の部材にて構成されたもので、壁部２に固定された略矩形状で鉛直面状の固定板18と、この固定板18の上端から前方に向って突出し横桟11，12，13の長手方向端部の下面を支持する略矩形状で水平面状の支持板19とを有している。また、上面支持体17は、断面略Ｌ字状の部材にて構成されたもので、壁部２に固定された略矩形状で鉛直面状の固定板20と、この固定板20の下端から前方に向って突出し横桟11，12，13の長手方向端部の上面を支持する略矩形状で水平面状の支持板21とを有している。
【００２２】
パネル15は、左右方向に並んで位置する格子状の複数のパネル構成体（パネル分割体）、すなわち例えば屋外側（前側）からみて左から順番に第１パネル構成体31、第２パネル構成体32、第３パネル構成体33および第４パネル構成体34にて構成されている。
【００２３】
各パネル構成体31，32，33，34は、互いに間隔をおいて平行に位置する左右方向長手状の複数（例えば３本）の引掛部である横長部（引掛金具等）36と、これら複数の横長部36の前面（屋外側の面）に予め工場で溶接、ビスまたはリベット等により固定され互いに等しい間隔をおいて平行に位置する上下方向長手状の複数（例えば６本）の縦長部（縦格子部材等）37とを有している。
【００２４】
横長部36は、断面略Ｌ字状の長手状部材にて構成されたもので、横桟11，12，13の前面と接触してこの前面略全体を覆う鉛直面状の前板38と、この前板38の上端から後方に向って突出し横桟11，12，13の上面と接触してこの上面を覆う水平面状の上板39とを有し、その前板38の前面に複数の縦長部37が互いに等間隔をおいて左右方向に並んだ状態に固定されている。また、縦長部37は、断面略矩形状の長手状部材に構成されている。
【００２５】
また、第１パネル構成体31および第４パネル構成体34の横長部36の上板39には、略矩形状に切り欠かれた切欠部41が形成されている。そして、切欠部41には上面支持体17の支持板21が挿入され、上板39の切欠部に臨んだ端縁と支持板21の端縁とが接触しており、これら互いに接触した端縁は屋外側である前方から見えないように縦長部37の左右方向中間部である左右方向中央部の後方に位置している。
【００２６】
さらに、第２パネル構成体32、第３パネル構成体33および第４パネル構成体34の横長部36の左端側は左端の縦長部37より左方向に突出し、この突出した部分の左端縁と左隣りのパネル構成体31，32，33の横長部36の右端縁とが接触し、これら互いに接触した端縁、つまり互いに突き当たって隣り合う両横長部36の継ぎ目42は屋外側である前方から見えないようにパネル構成体31，32，33の右端の縦長部37の左右方向中間部である左右方向中央部の後方に位置している。
【００２７】
次に、上記パネル装置１の現場での施工方法を図面を参照して説明する。
【００２８】
まず、被固定部である壁部２の上部に下面支持体（下部金具）16の固定位置の墨出しを行い、この墨出しした位置に下面支持体16を仮置きして施工ねじ位置をけがき、このけがいた位置に下孔を形成し、シーリング処理を施す。
【００２９】
そして、図４に示すように、ねじ（タッピングねじ）51および座金52を用いて左の下面支持体16を壁部（躯体）２の上部の所定位置に固定する。つまり下面支持体16の固定板18の孔部18aおよび壁部２の下孔にねじ51をねじ込むことにより、下面支持体16を壁部２に固定する。
【００３０】
次いで、同様に右の下面支持体16を壁部２の上部の所定位置に固定した後、図５に示すように、互いに離間対向する左右一対の下面支持体16の支持板19上に第１横桟11の長手方向両端部を載置し、水平器53を用いてその第１横桟11が水平であるか否かを確認する。なお、第１横桟11が水平でない場合は、ねじ51を緩めるか或いは外して下面支持体16の固定位置を第１横桟11が水平になるように修正する。
【００３１】
次いで、図６に示すように、水平状の第１横桟11の上面上に上面支持体（上部金具）17を載置し、上面支持体17の支持板21の孔部21a、第１横桟11の貫通孔部11aおよび下面支持体16の支持板19の孔部19aにねじ（六角ボルト）55を上方から差し込み、上面支持体17を第１横桟11上に仮置きし、施工ねじ位置をけがく。この際、第１横桟11の向きは、屋外側からみて左側手前つまり外観左側手前にパネル位置決め用孔部11bがくるようにする。
【００３２】
次いで、図７に示すように、上面支持体17を第１横桟11上から一旦離し、けがいた位置に下孔を形成してシーリング処理を施した後、図８に示すように、ねじ（タッピングねじ）56および座金57を用いて左の上面支持体17を壁部２の上部の所定位置に固定する。つまり上面支持体17の固定板20の孔部20aおよび壁部２の下孔にねじ56をねじ込むことにより、上面支持体17を壁部２に固定する。
【００３３】
また同様に右の上面支持体17を壁部２の上部の所定位置に固定し、この状態を図９に示す。
【００３４】
次いで、図１０に示すように、ねじ55、座金61およびナット（六角袋ナット）62を用いて第１横桟11を下面支持体16および上面支持体17に固定する。つまり第１横桟11の長手方向両端部を横桟支持手段（下面支持体16および上面支持体17）５を介して壁部２に固定する。
【００３５】
次いで、壁部２の上部に固定した下面支持体16を基準として、壁部２の上下方向中間部である略中央部に下面支持体16の固定位置をけがく。この際、下げ振りを用いて、上の下面支持体16との垂直位置が揃っているかを確認する。
【００３６】
そして、第１横桟11と同様の手順で、第２横桟12および第３横桟13を横桟支持手段（下面支持体16および上面支持体17）５を介して壁部２に固定し、この状態を図１１に示す。なお、第３横桟13を固定する際は、壁部２の上下方向略中央部に固定した下面支持体16を基準とする。
【００３７】
次に、壁部２に固定された３本の横桟11，12，13に対して、パネル15を構成する４枚のパネル構成体31，32，33，34を左側から右側に向って順次取り付けていく。なお、各パネル構成体31，32，33，34は、予め工場で、横長部36に縦長部37を溶接、ビスまたはリベット等により固定して格子状のユニットにしておく。なお、各パネル構成体31，32，33，34の重量は例えば２２〜２３ｋｇ程度である。
【００３８】
そして、まず、図１２および図１３に示すように、第１パネル構成体31の引掛部である横長部36を横桟11，12，13に上方から引っ掛けることにより、横桟11，12，13に第１パネル構成体31の横長部36を支持させて仮置きする。つまり、第１パネル構成体31の横長部36の上板39を横桟11，12，13の左端側の上面上に載置することにより、横長部36を横桟11，12，13に引っ掛ける。この際、第１パネル構成体31の横長部36の孔部36aとパネル位置決め用孔部11b，12b，13bとを互いに一致させることにより、第１パネル構成体31を横桟11，12，13に対して位置決めする。この状態で、横長部36の切欠部41には上面支持体17の支持板21が挿入され、上板39の切欠部に臨んだ端縁と支持板21の端縁とが接触し、これら互いに接触した端縁は前方から見えないように縦長部37の左右方向中間部である左右方向中央部の後方に位置している。
【００３９】
次いで、第１パネル構成体31の横長部36の孔部36aと対応する位置に、横桟11，12，13の中子まで到達するよう下孔（１つのパネル構成体につき６箇所）を横桟11，12，13に形成する。なお、パネル位置決め用孔部11b，12b，13bも中子まで到達していないので、下孔を形成する必要がある。
【００４０】
次いで、図１４に示すように、固定手段であるねじ（タッピングねじ）63を用いて、横桟11，12，13によって支持された第１パネル構成体31の横長部36を横桟11，12，13に固定する。つまり、横長部36の孔部36aおよび横桟11，12，13の下孔にねじ63をねじ込むことにより、横長部36を横桟11，12，13に固定する。
【００４１】
続いて、図１５に示すように、第１パネル構成体31と同様、第２パネル構成体32の引掛部である横長部36を横桟11，12，13に上方から引っ掛けることにより、横桟11，12，13に第２パネル構成体32の横長部36を支持させる。この横桟11，12，13の上面上に載置された横長部36は、横桟11，12，13の上面に対して左右方向にスライド可能である。
【００４２】
そして、第２パネル構成体32の横長部36を横桟11，12，13の上面に対して第１パネル構成体31側に移動すなわち例えば左方向にスライドさせ、第２パネル構成体32の横長部36を横桟11，12，13に固定された第１パネル構成体31の横長部36に当てることにより、第２パネル構成体32を横桟11，12，13に対して位置決めする。
【００４３】
この位置決めされた状態で、第２パネル構成体32の横長部36の左端縁と第１パネル構成体31の横長部36の右端縁とが接触し、これら互いに接触した端縁、つまり左右に互いに隣り合う両横長部36の継ぎ目42は前方から見えないように縦長部37の左右方向中間部である左右方向中央部の後方に位置し、また左右に互いに隣り合う縦長部37間の間隙は一定となる。
【００４４】
次いで、図１６に示すように、第２パネル構成体32の横長部36の孔部36aと対応する位置に横桟11，12，13の中子まで到達するよう下孔を横桟11，12，13に形成してから、ねじ63を用いて第２パネル構成体32の横長部36を横桟11，12，13に固定し、同様の手順で第３パネル構成体33および第４パネル構成体34を横桟11，12，13に順次固定する。こうしてパネル装置１の壁部２に対する取付施工作業が完了する。
【００４５】
そして、このようなパネル装置１の施工方法によれば、従来とは異なりパネル装置全体を持ち上げる必要がないため、従来に比べて効率良く施工でき、しかも、パネル構成体32，33，34の横長部36を左隣りのパネル構成体31，32，33の横長部36に当てることによりこれら互いに隣り合う両横長部36の継ぎ目42を縦長部37の後方に位置させた状態でパネル構成体32，33，34の横長部36を横桟11，12，13に固定するため、パネル構成体32，33，34の位置決めが容易であるばかりでなく、互いに隣り合う両横長部36の継ぎ目42が屋外側である前方からは見えず、４つのパネル構成体31，32，33，34にて構成されるパネル15の一体感が増し、意匠性の向上を図ることができる。
【００４６】
本発明の他の実施の形態を図面を参照して説明する。
【００４７】
図１７ないし図１９において、101はパネル装置で、このパネル装置101は、例えば土間（テラス）向けの目隠しスクリーン（ルーバースクリーン）である。そして、パネル装置101は、例えば建物の一階の庭等に立設され互いに離間対向する左右一対の被固定部である柱部102の内面である対向面に固定され、両柱部102間の略矩形状の開口部103を覆う。
【００４８】
パネル装置101は、柱部102の対向面に長手方向両端部が横桟支持手段である支持体（間柱基礎鋳物）105を介して固定され、互いに間隔をおいて平行に位置する左右方向長手状の複数の横桟、すなわち例えば上から順番に第１横桟111、第２横桟112および第３横桟113と、これら第１横桟111、第２横桟112および第３横桟113に固定され、開口部103を覆う格子状のパネル115とを備えている。
【００４９】
第１横桟111、第２横桟112および第３横桟113は、断面略矩形状の長手状部材にて構成されている。
【００５０】
支持体105は、柱部102の対向面に固定された略矩形状で鉛直面状の固定板106と、この固定板106から突出し横桟111，112，113の長手方向端部が嵌入されこの嵌入された横桟111，112，113の長手方向端部を嵌合支持する略４角筒状の支持筒107とを有している（図２０、図２１等参照）。
【００５１】
パネル115は、左右方向に並んで位置する格子状の複数のパネル構成体（パネル分割体）、すなわち例えば屋外側（前側）からみて左から順番に第１パネル構成体131、第２パネル構成体132、第３パネル構成体133および第４パネル構成体134にて構成されている。
【００５２】
各パネル構成体131，132，133，134は、互いに間隔をおいて平行に位置する左右方向長手状の複数（例えば３本）の引掛部である横長部（引掛金具等）136と、これら複数の横長部136の前面（屋外側の面）に予め工場で溶接、ビスまたはリベット等により固定され互いに等しい間隔をおいて平行に位置する上下方向長手状の複数の縦長部（縦格子部材等）137とを有している。
【００５３】
横長部136は、断面略Ｌ字状の長手状部材にて構成されたもので、横桟111，112，113の前面と接触してこの前面略全体を覆う鉛直面状の前板138と、この前板138の上端から後方に向って突出し横桟111，112，113の上面と接触してこの上面を覆う水平面状の上板139とを有し、その前板138の前面に複数の縦長部137が互いに等間隔をおいて左右方向に並んだ状態に固定されている。
【００５４】
また、縦長部137は、断面略矩形状の長手状部材に構成されている。なお、第１パネル構成体131および第４パネル構成体134の縦長部137の本数が例えば６本で、第２パネル構成体132および第３パネル構成体133の縦長部137の本数が例えば５本である。
【００５５】
ここで、第１パネル構成体131では、横長部136の左端縁は前方から見えないように左端の縦長部137の左右方向中間部である左右方向中央部の後方に位置し、横長部136の右端縁は前方から見えないように右端の縦長部137の左右方向中間部である左右方向中央部の後方に位置している。
【００５６】
第２パネル構成体132、第３パネル構成体133および第４パネル構成体134では、横長部136の左端側が左端の縦長部137より左方向に突出し、この突出した部分の左端縁と左隣りのパネル構成体131，132，133の横長部136の右端縁とが接触し、これら互いに接触した端縁、つまり互いに突き当たって隣り合う両横長部136の継ぎ目142は屋外側である前方から見えないようにパネル構成体131，132，133の右端の縦長部137の左右方向中央部の後方に位置している。また、横長部136の右端縁は、前方から見えないように右端の縦長部137の左右方向中間部である左右方向中央部の後方に位置している。
【００５７】
次に、上記パネル装置101の現場での施工方法を図面を参照して説明する。
【００５８】
まず、被固定部である柱部102に支持体（間柱基礎鋳物）105の固定位置の墨出しを行う。すなわち例えばオーバーハング下端位置を基準として、上下方向中央の支持体105の固定位置をけがき、その後、その中央の支持体105の固定位置を基準として、上下の支持体105の固定位置をけがく（左右合わせて計６箇所）。次いで、支持体105を墨出しした位置に仮置きし、施工ねじ位置をけがき、このけがいた位置に下孔を形成し、シーリング処理を施す。
【００５９】
その後、まず、中央横桟である第２横桟112の柱部102への固定作業を行う。
【００６０】
図２０に示すように、予め、支持体105の支持筒107の側面に形成されている孔部107aを拡げる追加工を現場にて行なう。例えば直径４．５ｍｍの孔部107aを直径６ｍｍまで拡げる。なお、支持体105の固定板106の４つの角部には固定用の孔部106aが形成されている。
【００６１】
次いで、図２１および図２２に示すように、第２横桟112の長手方向両端部に左右の支持体105を差し込み、屋外側からみて左側である外観左側では第２横桟112の長手方向端部に形成されている貫通孔（図示せず）にねじ（トラス小ねじ）141、座金140、第１ナット（六角ナット）143および第２ナット（六角袋ナット）144を用いて支持体105を第２横桟112に対して仮組みする。つまり第２横桟112の左端部に左側の支持体105を固定する一方、右側の支持体105は第２横桟112の右端部に差し込まれたままである。なお、第２横桟112の向きは、外観左側上部にパネル位置決め用孔部112aがくるようにする。
【００６２】
その後、左側の支持体105をねじ（タッピングねじ）145および座金146を用いて左側の柱部102の所定位置に固定する。つまり支持体105の固定板106の孔部106aおよび柱部102の下孔にねじ145をねじ込むことにより、左側の支持体105を左側の壁部２に固定する。
【００６３】
次いで、図２３に示すように、右側の支持体105をけがいた位置に合わせ、水平器147を用いて第２横桟112が水平であるか否かを確認する。なお、第２横桟112が水平でない場合は、ねじ145を緩めるか或いは外して支持体105の固定位置を第２横桟112が水平になるように修正する。
【００６４】
その後、図２４に示すように、左側の支持体105と同様に、右側の支持体105をねじ（タッピングねじ）145および座金146を用いて右側の柱部102の所定位置に固定する。
【００６５】
こうして左右両側の支持体105を柱部102にそれぞれ固定し終わったら、第２横桟112の位置を固定する。つまり、図２５に示すように、右側の支持体105の支持筒107の孔部107aから第２横桟112に向って上下方向の貫通孔（図示せず）を形成した後、図２６に示すように、ねじ（トラス小ねじ）141、座金140、第１ナット（六角ナット）143および第２ナット（六角袋ナット）144を用いて第２横桟112の右端部に右側の支持体105を固定する。
【００６６】
こうして第２横桟112の柱部102への固定作業が完了し、続いて第２横桟112と同様にして、図２７に示すように上下２本の横桟つまり第１横桟111および第３横桟113を支持体105を介して柱部102に固定する。この際、下げ振りを用いて３本の横桟111，112，113のパネル位置決め用孔部111a，112a，113aの位置が上下方向に揃っているかを確認する。
【００６７】
次に、柱部102に固定された３本の横桟111，112，113に対して、パネル115を構成する４枚のパネル構成体131，132，133，134を左側から右側に向って順次取り付けていく。なお、各パネル構成体131，132，133，134は、予め工場で、横長部136に縦長部137を溶接等により固定して格子状のユニットにしておく。なお、各パネル構成体131，132，133，134の重量は例えば２２〜２３ｋｇ程度である。
【００６８】
そして、まず、図２８および図２９に示すように、第１パネル構成体131の引掛部である横長部136を横桟111，112，113に上方から引っ掛けることにより、横桟111，112，113に第１パネル構成体131の横長部136を支持させて仮置きする。つまり、第１パネル構成体131の横長部136の上板139を横桟111，112，113の左端側の上面上に載置することにより、横長部136を横桟111，112，113に引っ掛ける。この際、第１パネル構成体131の横長部136の孔部136aとパネル位置決め用孔部111a，112a，113aとを互いに一致させることにより、第１パネル構成体131を横桟111，112，113に対して位置決めする。
【００６９】
次いで、図３０に示すように、第１パネル構成体131の横長部136の孔部136aと対応する位置に、横桟111，112，113の中子まで到達するよう下孔（１つのパネル構成体につき６箇所）を横桟111，112，113に形成する。なお、パネル位置決め用孔部111a，112a，113aも中子まで到達していないので、下孔を形成する必要がある。
【００７０】
次いで、図３１に示すように、固定手段であるねじ（タッピングねじ）148を用いて、横桟111，112，113によって支持された第１パネル構成体131の横長部136を横桟111，112，113に固定する。つまり、横長部136の孔部136aおよび横桟111，112，113の下孔にねじ148をねじ込むことにより、横長部136を横桟111，112，113に固定する。
【００７１】
続いて、図３２に示すように、第１パネル構成体131と同様、第２パネル構成体132の引掛部である横長部136を横桟111，112，113に上方から引っ掛けることにより、横桟111，112，113に第２パネル構成体132の横長部136を支持させる。この横桟111，112，113の上面上に載置された横長部136は、横桟111，112，113の上面に対して左右方向にスライド可能である。
【００７２】
そして、第２パネル構成体132の横長部136を横桟111，112，113の上面に対して第１パネル構成体131側に移動すなわち例えば左方向にスライドさせ、第２パネル構成体132の横長部136を横桟111，112，113に固定された第１パネル構成体131の横長部136に当てることにより、第２パネル構成体132を横桟111，112，113に対して位置決めする。
【００７３】
この位置決めされた状態で、第２パネル構成体132の横長部136の左端縁と第１パネル構成体131の横長部136の右端縁とが接触し、これら互いに接触した端縁、つまり左右に互いに隣り合う両横長部136の継ぎ目142は前方から見えないように縦長部137の左右方向中間部である左右方向中央部の後方に位置し、また左右に互いに隣り合う縦長部137間の間隙は一定となる（図１９参照）。
【００７４】
次いで、第２パネル構成体132の横長部136の孔部136aと対応する位置に横桟111，112，113の中子まで到達するよう下孔を横桟111，112，113に形成してから、ねじ148を用いて第２パネル構成体132の横長部136を横桟111，112，113に固定し、同様の手順で第３パネル構成体133および第４パネル構成体134を横桟111，112，113に順次固定する。こうしてパネル装置101の柱部102に対する取付施工作業が完了する。
【００７５】
そして、このようなパネル装置101の施工方法によれば、従来とは異なりパネル装置全体を持ち上げる必要がないため、従来に比べて効率良く施工でき、しかも、パネル構成体132，133，134の横長部136を左隣りのパネル構成体131，132，133の横長部136に当てることによりこれら互いに隣り合う両横長部136の継ぎ目142を縦長部137の後方に位置させた状態でパネル構成体132，133，134の横長部136を横桟111，112，113に固定するため、パネル構成体132，133，134の位置決めが容易であるばかりでなく、互いに隣り合う両横長部136の継ぎ目142が屋外側である前方からは見えず、４つのパネル構成体131，132，133，134にて構成されるパネル115の一体感が増し、意匠性の向上を図ることができる。
【００７６】
なお、上記実施の形態では、複数の横桟のすべてを被固定部（壁部２、柱部102）に固定した後、これら固定された複数の横桟に対してパネルを固定する方法について説明したが、例えば複数の横桟のうちの一の横桟を被固定部に固定し、この固定された一の横桟にパネルを引っ掛けて支持させ、この支持されたパネルを基準として、複数の横桟のうちの残りの横桟を被固定部に固定する方法でもよい。
【００７７】
すなわち例えば図３３に示すように複数の横桟11，12，13のうちの一の横桟である第１横桟11を壁部２に固定してから、この固定された第１横桟11にパネル15の第１パネル構成体31の横長部36を上方から引っ掛けることによりその第１横桟11に第１パネル構成体31を支持させ、次いでこの支持された第１パネル構成体31の一の横長部36を第１横桟11に固定する。その後、図３４に示すように第１パネル構成体31の残りの横長部36の上板39に残りの横桟12，13の上面を接触させて位置決めし、この位置決めされた横桟12，13を壁部２に固定し、次いでこれら壁部２に固定された横桟12，13に第１パネル構成体31の残りの横長部36を固定する。次いで、壁部２に固定された３本の横桟11，12，13に対して残りの３枚のパネル構成体32，33，34を左側から順に固定する。
【００７８】
なお、例えば最初に壁部２に固定した第１横桟11に第１パネル構成体31を支持させて仮置きし、この仮置きされた第１パネル構成体31を基準として残りの横桟12，13を壁部２に固定した後、これら３本の横桟11，12，13に対して第１パネル構成体31を固定するようにしてもよい。また例えば最初に壁部２に固定した第１横桟11に対して４枚のパネル構成体31，32，33，34を固定した後、これらパネル構成体31，32，33，34を基準として残りの第２横桟12および第３横桟13を固定するようにしてもよい。
【００７９】
また例えば図示しないが、複数の横桟111，112，113のうちの一の横桟である第２横桟112を柱部102に固定してから、この固定された第２横桟112にパネル115の第１パネル構成体131の横長部136を上方から引っ掛けることによりその第２横桟112に第１パネル構成体131を支持させ、次いでこの支持された第１パネル構成体131の一の横長部136を第２横桟112に固定する。その後、第１パネル構成体131の残りの横長部136の上板139に残りの横桟111，113の上面を接触させて位置決めし、この位置決めされた横桟111，113を柱部102に固定し、次いでこれら柱部102に固定された横桟111，113に第１パネル構成体131の残りの横長部136を固定する。次いで、柱部102に固定された３本の横桟111，112，113に対して残りの３枚のパネル構成体132，133，134を左側から順に固定する。
【００８０】
なお、例えば最初に柱部102に固定した第２横桟112に第１パネル構成体131を支持させて仮置きし、この仮置きされた第１パネル構成体131を基準として残りの横桟111，113を柱部102に固定した後、これら３本の横桟111，112，113に対して第１パネル構成体131を固定するようにしてもよい。また例えば最初に固定した第２横桟112に対して４枚のパネル構成体131，132，133，134を固定した後、これらパネル構成体131，132，133，134を基準として残りの第１横桟111および第３横桟113を固定するようにしてもよい。
【００８１】
そして、このような施工方法によれば、パネル装置全体を持ち上げる必要がないため効率良く施工できるばかりでなく、一の横桟に固定したパネルに合わせて残りの横桟を固定できるため、パネル15，115の横長部36，136の上板39，139と横桟11，12，13，111，112，113の上面との間に隙間ができる不具合を防止でき、施工精度の向上を図ることができる。
【００８２】
また、上記実施の形態では、パネル15，115の横格子部材である横長部36，136が断面略Ｌ字状の長手状部材（アングル材等）からなる場合について説明したが、その横長部36，136を横桟に引っ掛け或いは嵌合により支持させた際つまり仮置きした際に、パネル15，115から手を離してもパネル15，115が倒れないようにするために、横長部36，136の断面形状を略Ｊ字状、略Ｃ字状、略Ｚ字状等にしてもよい。
【００８３】
例えば図３５に示す例では、横桟に上方から引っ掛ける引掛部である横長部36は、横桟11，12，13の前面と接触する前板38と、前板38の上端から後方に向って突出し横桟11，12，13の上面と接触する上板39と、上板39の後端から下方に向って突出し横桟横桟11，12，13の後面と接触する後板71とを有している。なお、３本の横長部36のうちの少なくとも１本の横長部36が図３５に示す形状であればよく、またこの図３５に示す形状を横長部136に適用することも可能である。
【００８４】
また図３６に示す例では、横桟に側方からスライドさせて嵌合させる嵌合部である横長部36は、横桟11，12，13の前面と接触する前板65と、前板65の上端から後方に向って突出し横桟11，12，13の上面と接触する上板66と、上板66の後端から下方に向って突出し横桟横桟11，12，13の上面側凹状部72と嵌合する下向き突出板73と、前板38の下端から後方に向って突出し横桟11，12，13の下面と接触する下板74と、下板74の後端から上方に向って突出し横桟11，12，13の下面側凹状部75と嵌合する上向き突出板76とを有している。横桟11，12，13の上面の上下方向中央部には内方に向って突出する湾曲面77が形成されている。
【００８５】
さらに図３７に示す例では、横桟に側方からスライドさせて嵌合させる嵌合部である横長部36は、横桟11，12，13の上面前端と下面前端との間に嵌合する前板78と、前板78から後方に向って突出する第１突出板79および第２突出板80と、各突出板79，80の後端に設けられ横桟11，12，13の嵌合受部81，82と嵌合する断面略Ｃ字状のＣ字状部83，84とを有している。
【００８６】
さらに図３８に示す例では、横桟に側方からスライドさせて嵌合させる嵌合部である横長部36は、横桟11，12，13の上側前面と嵌合する上方に向って凹状の上向き凹状部85と、横桟11，12，13の下側前面と嵌合する下方に向って向って凹状の下向き凹状部86と、これら凹状部85，86同士を連結する板状の連結部87とを有している。横桟11，12，13には、断面略Ｃ字状のＣ字状部88，89が形成されている。
【００８７】
また図３９に示す例では、横桟に側方からスライドさせて嵌合させる嵌合部である横長部36は、前板90と、前板90の下端側に設けられ横桟11，12，13の嵌合受部91と嵌合する断面略Ｃ字状のＣ字状部92と、前板90の上端から後方に向って突出する上板93と、上板93の後端側に設けられ横桟11，12，13の嵌合受部94と嵌合する断面略Ｃ字状のＣ字状部95とを有している。この横長部36の断面形状は横桟11，12，13の断面形状と同一である。
【００８８】
さらに図４０に示す例では、横桟に側方からスライドさせて嵌合させる嵌合部である横長部36は、前板161と、前板161の下端近傍から後方に向って突出し横桟11，12，13の嵌合受部162と嵌合する突出板163と、前板161の上端から後方に向って突出する上板164と、上板164の後端近傍から下方に向って突出し横桟11，12，13の嵌合受部165と嵌合する突出板166とを有している。
【００８９】
また図４１に示す例では、横桟に側方からスライドさせて嵌合させる嵌合部である横長部36は、前板167と、前板161の下端に設けられ横桟11，12，13の嵌合受部168と嵌合する凹状部169と、凹状部169から後方に向って突出する下板170と、前板167の上端から後方に向って突出する上板171と、上板171の後端近傍から下方に向って突出し横桟11，12，13の嵌合受部172と嵌合する突出板173とを有している。横桟および横長部36には断面略Ｃ字状のＣ字状部174，175が形成されている。この横長部36の断面形状は横桟11，12，13の断面形状と同一である。
【００９０】
なお、例えば各パネル構成体が有する３本の横長部36のうちの少なくとも１本の横長部36およびそれを支持する横桟が図３５ないし図４１に示す形状であればよく、また図３５ないし図４１に示す形状を横長部136およびそれを支持する横桟に適用することも可能である。また、例えば横桟の長手方向端部に蓋を取り付け、その蓋で横桟の側面開口を閉じるようにしてもよい。
【００９１】
そして、図３５ないし図４１に示す形状の横長部および横桟を用いた場合には、横長部36，136を横桟に引っ掛け或いは嵌合により支持させて仮置きした後、両手を離してもパネル15，115が前方に倒れることがなく、施工性の向上を図ることができ、またパネル15，115の左右位置の調整を容易にできる。
【００９２】
また、上記実施の形態では、支持体105が略４角筒状の筒状部材にて一体に構成された支持筒107を有する場合について説明したが、例えば図４２に示すように、支持筒107を複数分割、例えば２分割することにより、支持体105と横桟とを別々に取り付けるようにしてもよい。
【００９３】
この図４２に示す支持筒107は、固定板106に一体に設けられた前後一対の対向板181と、固定板106に一体に設けられ両対向板181の下端同士を連結する下板182と、横桟111，112，113の長手方向端部上面にねじ141等にて固定され両対向板181の上端間の開口185を閉じる上部パーツである上板183とにて構成されている。両対向板181と下板182とにて、下部パーツ186が構成されている。
【００９４】
この場合、まず図４２（ａ）に示すように、開口185を上方に向けて開口させた状態で、左右の支持体105の固定板106をねじ145等を用いて柱部102に固定する。
【００９５】
次いで、図４２（ｂ）に示すように、横桟111，112，113の長手方向両端部を開口185から下部パーツ186内に挿入して下板182上に載置する。
【００９６】
その後、図４２（ｃ）に示すように、ねじ141、座金140、第１ナット143および第２ナット144を用いて上板183を横桟111，112，113の長手方向端部上面に固定し、その上板183にて両対向板181の上端間の開口185を閉じ、左右の支持体105に横桟111，112，113の長手方向両端部を固定する。つまり支持体105を介して横桟111，112，113を柱部102に固定する。この際、ねじ141は、下板182および上板183に形成された孔部107aと、横桟111，112，113の長手方向端部に形成された貫通孔とに挿入し、そのねじ141の下板182から下方に突出した部分に第１ナット143および第２ナット144を螺合する。
【００９７】
そして、この場合には、支持体105を柱部102に固定し、この固定された支持体105に横桟111，112，113を固定するため、支持体105の仮組みが不要で、施工性の向上を図ることができる。
【００９８】
なお、パネル15，115は、格子状のものには限定されず、板状のものでもよい。
【００９９】
また、パネル15，115は、４つのパネル構成体（パネル分割体）にて構成されたものには限定されず、少なくとも第１パネル構成体および第２パネル構成体を有する構成であればよく、また例えば単一のパネル構成体にて構成されたものでもよい。
【０１００】
さらに、横桟を被固定部に固定する手段やパネルを横桟に固定する手段等は、ねじ固定以外に、リベット固定や溶接等でもよい。
【０１０１】
また、パネル装置１，101はバルコニや土間向け等の目隠しスクリーンを建物に付設したものには限定されず、例えばフェンスとして使用するもの等でもよく、また例えば建物の壁部２の屋内側の面に固定して開口部３を覆う構成等でもよく、さらに各パネル構成体31，131等が横長部とこの横長部の後面（屋内側の面）に固定された縦長部とを有する構成等でもよい。
【図面の簡単な説明】
【０１０２】
【図１】本発明の一実施の形態の施工方法により施工されたパネル装置の正面図である。
【図２】同上パネル装置の分解斜視図である。
【図３】同上パネル装置の平面図である。
【図４】同上パネル装置の施工方法を説明するための図である。
【図５】図４に続く施工説明図である。
【図６】図５に続く施工説明図である。
【図７】図６に続く施工説明図である。
【図８】図７に続く施工説明図である。
【図９】図８に続く施工説明図である。
【図１０】図９に続く施工説明図である。
【図１１】図１０に続く施工説明図である。
【図１２】図１１に続く施工説明図である。
【図１３】図１２に続く施工説明図である。
【図１４】図１３に続く施工説明図である。
【図１５】図１４に続く施工説明図である。
【図１６】図１５に続く施工説明図である。
【図１７】本発明の他の実施の形態の施工方法により施工されたパネル装置の正面図である。
【図１８】同上パネル装置の分解斜視図である。
【図１９】同上パネル装置の平面図である。
【図２０】同上パネル装置の支持体の斜視図である。
【図２１】横桟の端部を支持体の支持筒内に挿入した状態を示す斜視図である。
【図２２】同上パネル装置の施工方法を説明するための図である。
【図２３】図２２に続く施工説明図である。
【図２４】図２３に続く施工説明図である。
【図２５】図２４に続く施工説明図である。
【図２６】図２５に続く施工説明図である。
【図２７】図２６に続く施工説明図である。
【図２８】図２７に続く施工説明図である。
【図２９】図２８に続く施工説明図である。
【図３０】図２９に続く施工説明図である。
【図３１】図３０に続く施工説明図である。
【図３２】図３１に続く施工説明図である。
【図３３】本発明のさらに他の実施の形態の施工方法を説明するための図である。
【図３４】図３３に続く施工説明図である。
【図３５】パネルの横長部および横桟の例を示す図である。
【図３６】パネルの横長部および横桟の他の例を示す図である。
【図３７】パネルの横長部および横桟のさらに他の例を示す図である。
【図３８】パネルの横長部および横桟のさらに他の例を示す図である。
【図３９】パネルの横長部および横桟のさらに他の例を示す図である。
【図４０】パネルの横長部および横桟のさらに他の例を示す図である。
【図４１】パネルの横長部および横桟のさらに他の例を示す図である。
【図４２】（ａ）〜（ｃ）は横桟を支持する支持体の例を示す図である。
【符号の説明】
【０１０３】
１，101    パネル装置
２，102    被固定部（壁部、柱部）
11，111    横桟である第１横桟
12，112    横桟である第２横桟
13，113    横桟である第３横桟
15，115    パネル
31，131    第１パネル構成体
32，132    第２パネル構成体
36，136    横長部（引掛部、嵌合部）
37，137    縦長部
【図１】
2010144465.tif 000003
【図２】
2010144465.tif 000004
【図３】
2010144465.tif 000005
【図４】
2010144465.tif 000006
【図５】
2010144465.tif 000007
【図６】
2010144465.tif 000008
【図７】
2010144465.tif 000009
【図８】
2010144465.tif 000010
【図９】
2010144465.tif 000011
【図１０】
2010144465.tif 000012
【図１１】
2010144465.tif 000013
【図１２】
2010144465.tif 000014
【図１３】
2010144465.tif 000015
【図１４】
2010144465.tif 000016
【図１５】
2010144465.tif 000017
【図１６】
2010144465.tif 000018
【図１７】
2010144465.tif 000019
【図１８】
2010144465.tif 000020
【図１９】
2010144465.tif 000021
【図２０】
2010144465.tif 000022
【図２１】
2010144465.tif 000023
【図２２】
2010144465.tif 000024
【図２３】
2010144465.tif 000025
【図２４】
2010144465.tif 000026
【図２５】
2010144465.tif 000027
【図２６】
2010144465.tif 000028
【図２７】
2010144465.tif 000029
【図２８】
2010144465.tif 000030
【図２９】
2010144465.tif 000031
【図３０】
2010144465.tif 000032
【図３１】
2010144465.tif 000033
【図３２】
2010144465.tif 000034
【図３３】
2010144465.tif 000035
【図３４】
2010144465.tif 000036
【図３５】
2010144465.tif 000037
【図３６】
2010144465.tif 000038
【図３７】
2010144465.tif 000039
【図３８】
2010144465.tif 000040
【図３９】
2010144465.tif 000041
【図４０】
2010144465.tif 000042
【図４１】
2010144465.tif 000043
【図４２】
2010144465.tif 000044